(57)【要約】【課題】テレコントロール装置に対する第三者の不正アクセスを防止することができない。【解決手段】電話回線２と接続する電話親機３と、この電話親機と接続して、家電機器７を制御するテレコン機能を備えたドアホン親機５とを有し、電話親機は、外線着信に関わる宅外電話機６の発信者番号を検出する発信者番号検出部３１Ｃと、ＰＢ信号を暗証入力番号として検出するＰＢ信号検出部３１Ｂと、発信者番号が記憶中のテレコン認証用発信者番号に合致するか否かを判定し、同発信者番号がテレコン認証用発信者番号に合致していないと判定されると、テレコン機能の禁止をドアホン親機に通知する電話親機側制御部４０とを有している。【選択図】図３
2007181013.tif 000002
【特許請求の範囲】
【請求項１】
電話回線を通じて、宅外電話機から電子機器への遠隔制御を可能にするテレコントロール装置であって、
所定の発信者情報を予め記憶した発信者情報記憶手段と、
前記電話回線を通じて前記宅外電話機からの外線着信を検出する着信検出手段と、
この着信検出手段にて前記外線着信を検出すると、前記電話回線を通じて前記宅外電話機の発信者情報を検出する発信者情報検出手段と、
この発信者情報検出手段にて前記発信者情報を検出すると、この検出した発信者情報が前記発信者情報記憶手段に記憶中の所定の発信者情報に合致しているか否かを判定する発信者情報照合手段と、
この発信者情報照合手段にて前記発信者情報が前記所定の発信者情報に合致していないと判定されると、前記宅外電話機から前記電子機器への遠隔制御を禁止する制御手段とを有することを特徴とするテレコントロール装置。
【請求項２】
前記制御手段は、
外線着信時に前記発信者情報照合手段にて前記発信者情報が前記所定の発信者情報に合致していると判定されると、前記外線着信に対する応答動作が所定時間内にあるか否かを判定し、前記外線着信に対する応答動作が所定時間内にないと判定されると、この外線着信に応答して、前記電子機器を遠隔制御するテレコントロール動作を開始することを特徴とする請求項１記載のテレコントロール装置。
【請求項３】
前記制御手段は、
前記発信者情報照合手段にて前記発信者情報が前記所定の発信者情報に合致していると判定されると、前記宅外電話機から前記電子機器への遠隔制御を許可することを特徴とする請求項１記載のテレコントロール装置。
【請求項４】
所定の暗証番号を予め記憶した暗証番号記憶手段と、
前記電話回線を通じて前記宅外電話機からの暗証入力番号を受信する暗証入力番号受信手段と、
前記暗証入力番号受信手段にて前記暗証入力番号を受信すると、この暗証入力番号が前記暗証番号記憶手段に記憶中の暗証番号に合致しているか否かを判定する暗証番号照合手段とを有し、
前記制御手段は、
前記発信者情報照合手段にて前記発信者情報が前記所定の発信者情報に合致していると判定されると、前記暗証番号照合手段にて前記暗証入力番号が前記所定の暗証番号に合致しているか否かを判定し、前記暗証入力番号が前記所定の暗証番号に合致していると判定されると、前記宅外電話機から前記電子機器への遠隔制御を許可することを特徴とする請求項１記載のテレコントロール装置。
【請求項５】
前記暗証番号照合手段にて前記暗証入力番号が前記暗証番号記憶手段に記憶中の暗証番号に合致していないと判定されると、暗証番号エラー回数をカウントするエラー回数カウント手段と、
このエラー回数カウント手段にて暗証番号エラー回数が所定回数に到達したか否かを判定するエラー回数判定手段と、
このエラー回数判定手段にて前記暗証番号エラー回数が所定回数に到達したと判定されると、前記暗証番号記憶手段に記憶中の暗証番号を消去する暗証番号消去手段とを有することを特徴とする請求項４記載のテレコントロール装置。
【請求項６】
電話回線に通信接続する電話親機と、電話親機と通信接続すると共に、前記電話回線を通じて前記電話親機経由で、宅外電話機から電子機器への遠隔制御を可能にするテレコントロール装置とを有するテレコントロールシステムであって、
前記電話親機は、
所定の発信者情報を予め記憶した発信者情報記憶手段と、
前記電話回線を通じて前記宅外電話機から外線着信を検出する着信検出手段と、
この着信検出手段にて前記外線着信を検出すると、前記電話回線を通じて前記宅外電話機の発信者情報を検出する発信者情報検出手段と、
この発信者情報検出手段にて前記発信者情報を検出すると、この検出した発信者情報が前記発信者情報記憶手段に記憶中の所定の発信者情報に合致しているか否かを判定する発信者情報照合手段と、
この発信者情報照合手段にて前記発信者情報が前記所定の発信者情報に合致していないと判定されると、遠隔制御禁止コマンドを前記テレコントロール装置に伝送する電話親機側伝送手段とを有し、
前記テレコントロール装置は、
前記電話親機から前記遠隔制御禁止コマンドを受信すると、前記宅外電話機から前記電子機器への遠隔制御を禁止する制御手段を有することを特徴とするテレコントロールシステム。
【請求項７】
電話回線に通信接続する電話親機と、電話親機と通信接続すると共に、前記電話回線を通じて前記電話親機経由で、宅外電話機から電子機器への遠隔制御を可能にするテレコントロール装置とを有するテレコントロールシステムであって、
前記電話親機は、
前記電話回線を通じて前記宅外電話機から外線着信を検出する着信検出手段と、
この着信検出手段にて前記外線着信を検出すると、前記電話回線を通じて前記宅外電話機の発信者情報を検出する発信者情報検出手段と、
この発信者情報検出手段にて検出した発信者情報を前記テレコントロール装置に伝送する電話親機側伝送手段とを有し、
前記テレコントロール装置は、
所定の発信者情報を予め記憶した発信者情報記憶手段と、
前記電話親機側伝送手段にて前記発信者情報を受信すると、この受信した発信者情報が前記発信者情報記憶手段に記憶中の所定の発信者情報に合致するか否かを判定する発信者情報照合手段と、
この発信者情報照合手段にて前記発信者情報が前記所定の発信者情報に合致していないと判定されると、前記宅外電話機から前記電子機器への遠隔制御を禁止する制御手段とを有することを特徴とするテレコントロールシステム。
【請求項８】
電話回線を通じて、宅外電話機から電子機器への遠隔制御を可能にするテレコントロール制御方法であって、
所定の発信者情報を予め記憶するステップと、
前記電話回線を通じて前記宅外電話機からの外線着信を検出するステップと、
前記外線着信を検出すると、前記電話回線を通じて前記宅外電話機の発信者情報を検出するステップと、
前記発信者情報を検出すると、この検出した発信者情報が前記所定の発信者情報に合致しているか否かを判定するステップと、
前記発信者情報が前記所定の発信者情報に合致していないと判定されると、前記宅外電話機から前記電子機器への遠隔制御を禁止するステップとを有することを特徴とするテレコントロール制御方法。
【請求項９】
所定の暗証番号を予め記憶するステップと、
前記電話回線を通じて前記宅外電話機からの暗証入力番号を受信するステップと、
前記暗証入力番号を受信すると、この暗証入力番号が前記所定の暗証番号に合致しているか否かを判定するステップと、
前記暗証入力番号が前記所定の暗証番号に合致していないと判定されると、暗証番号エラー回数をカウントするステップと、
前記暗証番号エラー回数が所定回数に到達したか否かを判定するステップと、
前記暗証番号エラー回数が所定回数に到達したと判定されると、前記記憶中の所定の暗証番号を消去するステップとを有することを特徴とする請求項７記載のテレコントロール制御方法。
【発明の詳細な説明】
【技術分野】
【０００１】
本発明は、電話回線を通じて、宅外電話機から、例えば家電機器等の電子機器への遠隔制御を可能にするテレコントロール装置、テレコントロールシステム及びテレコントロール制御方法に関する。
【背景技術】
【０００２】
従来、このようなテレコントロール装置としては、宅外電話機から電話回線を通じて通信アクセスし、同宅外電話機からの暗証入力番号を受信し、この受信した暗証入力番号が記憶中の所定の暗証番号に合致すると、例えば家電機器等の電子機器に対して遠隔制御を可能にした技術が知られている（例えば特許文献１参照）。
【０００３】
この特許文献１のテレコントロール装置によれば、暗証入力番号の誤入力が規定回数に到達すると、宅外電話機との通信を切断すると共に、誤入力に関わる電話回線の切断回数が所定切断回数に到達すると、テレコントロール機能を停止するようにしたので、第三者による不正アクセスを防止することができる。
【特許文献１】特開昭６２−２９８２６４号公報（実施例及び図３参照）
【発明の開示】
【発明が解決しようとする課題】
【０００４】
しかしながら、上記従来のテレコントロール装置によれば、暗証入力番号の誤入力が規定回数に到達すると、宅外電話機との通信を切断すると共に、誤入力に関わる電話回線の切断回数が所定切断回数に到達すると、テレコントロール機能を停止するようにしたが、例えば暗証番号が４桁の場合、３３３４回で暗証番号を解読することができるため、テレコントロール装置に対する第三者の不正アクセスを防止することができない。
【０００５】
本発明は上記点に鑑みてなされたものであり、その目的とするところは、第三者による不正アクセスを確実に遮断することができるセキュリティ性に優れたテレコントロール装置、テレコントロールシステム及びテレコントロール制御方法を提供することにある。
【課題を解決するための手段】
【０００６】
上記目的を達成するために本発明のテレコントロール装置は、電話回線を通じて、宅外電話機から電子機器への遠隔制御を可能にするテレコントロール装置であって、所定の発信者情報を予め記憶した発信者情報記憶手段と、前記電話回線を通じて前記宅外電話機からの外線着信を検出する着信検出手段と、この着信検出手段にて前記外線着信を検出すると、前記電話回線を通じて前記宅外電話機の発信者情報を検出する発信者情報検出手段と、この発信者情報検出手段にて前記発信者情報を検出すると、この検出した発信者情報が前記発信者情報記憶手段に記憶中の所定の発信者情報に合致しているか否かを判定する発信者情報照合手段と、この発信者情報照合手段にて前記発信者情報が前記所定の発信者情報に合致していないと判定されると、前記宅外電話機から前記電子機器への遠隔制御を禁止する制御手段とを有するようにした。
【０００７】
また、上記目的を達成するために本発明のテレコントロールシステムは、電話回線に通信接続する電話親機と、電話親機と通信接続すると共に、前記電話回線を通じて前記電話親機経由で、宅外電話機から電子機器への遠隔制御を可能にするテレコントロール装置とを有するテレコントロールシステムであって、前記電話親機は、前記電話回線を通じて前記宅外電話機から外線着信を検出する着信検出手段と、この着信検出手段にて前記外線着信を検出すると、前記電話回線を通じて前記宅外電話機の発信者情報を検出する発信者情報検出手段と、この発信者情報検出手段にて検出した発信者情報を前記テレコントロール装置に伝送する電話親機側伝送手段とを有し、前記テレコントロール装置は、所定の発信者情報を予め記憶した発信者情報記憶手段と、前記電話親機側伝送手段にて前記発信者情報を受信すると、この受信した発信者情報が前記発信者情報記憶手段に記憶中の所定の発信者情報に合致するか否かを判定する発信者情報照合手段と、この発信者情報照合手段にて前記発信者情報が前記所定の発信者情報に合致していないと判定されると、前記宅外電話機から前記電子機器への遠隔制御を禁止する制御手段とを有するようにした。
【０００８】
上記目的を達成するために本発明のテレコントロール制御方法は、電話回線を通じて、宅外電話機から電子機器への遠隔制御を可能にするテレコントロール制御方法であって、所定の発信者情報を予め記憶するステップと、前記電話回線を通じて前記宅外電話機からの外線着信を検出するステップと、前記外線着信を検出すると、前記電話回線を通じて前記宅外電話機の発信者情報を検出するステップと、前記発信者情報を検出すると、この検出した発信者情報が前記所定の発信者情報に合致しているか否かを判定するステップと、前記発信者情報が前記所定の発信者情報に合致していないと判定されると、前記宅外電話機から前記電子機器への遠隔制御を禁止するステップとを有するようにした。
【発明の効果】
【０００９】
上記のように構成された本発明のテレコントロール装置によれば、電話回線を通じて外線着信に関わる宅外電話機の発信者情報を検出すると、この検出した発信者情報が記憶中の所定の発信者情報に合致しているか否かを判定し、前記発信者情報が前記所定の発信者情報に合致していないと判定されると、前記宅外電話機から前記電子機器への遠隔制御を禁止するようにしたので、発信者番号等の発信者情報で正当ユーザを特定することができるため、第三者による不正アクセスを防止してセキュリティの向上を図ることができる。
【００１０】
また、上記のように構成された本発明のテレコントロールシステムによれば、テレコントロール装置側にて、電話親機から外線着信に関わる宅外電話機の発信者情報を受信すると、この発信者情報が記憶中の所定の発信者情報に合致しているか否かを判定し、前記発信者情報が記憶中の所定の発信者情報に合致していないと判定されると、前記宅外電話機から前記電子機器への遠隔制御を禁止するようにしたので、電話親機側に特別な認証機能を備えるのではなく、テレコントロール装置側で発信者情報を認証する機能を備え、発信者番号等の発信者情報で正当ユーザを特定することができるため、第三者による不正アクセスを防止してセキュリティの向上を図ることができる。
【００１１】
また、上記のように構成された本発明のテレコントロール制御方法によれば、電話回線を通じて外線着信に関わる宅外電話機の発信者情報を検出すると、この検出した発信者情報が記憶中の所定の発信者情報に合致しているか否かを判定し、前記発信者情報が前記所定の発信者情報に合致していないと判定されると、前記宅外電話機から前記電子機器への遠隔制御を禁止するようにしたので、発信者番号等の発信者情報で正当ユーザを特定することができるため、第三者による不正アクセスを防止してセキュリティの向上を図ることができる。
【発明を実施するための最良の形態】
【００１２】
本願請求項１記載のテレコントロール装置は、電話回線を通じて、宅外電話機から電子機器への遠隔制御を可能にするテレコントロール装置であって、所定の発信者情報を予め記憶した発信者情報記憶手段と、前記電話回線を通じて前記宅外電話機からの外線着信を検出する着信検出手段と、この着信検出手段にて前記外線着信を検出すると、前記電話回線を通じて前記宅外電話機の発信者情報を検出する発信者情報検出手段と、この発信者情報検出手段にて前記発信者情報を検出すると、この検出した発信者情報が前記発信者情報記憶手段に記憶中の所定の発信者情報に合致しているか否かを判定する発信者情報照合手段と、この発信者情報照合手段にて前記発信者情報が前記所定の発信者情報に合致していないと判定されると、前記宅外電話機から前記電子機器への遠隔制御を禁止する制御手段とを有するようにした。
【００１３】
従って、本願請求項１記載のテレコントロール装置によれば、電話回線を通じて外線着信に関わる宅外電話機の発信者情報を検出すると、この検出した発信者情報が記憶中の所定の発信者情報に合致しているか否かを判定し、前記発信者情報が前記所定の発信者情報に合致していないと判定されると、前記宅外電話機から前記電子機器への遠隔制御を禁止するようにしたので、発信者番号等の発信者情報で正当ユーザを特定することができるため、第三者による不正アクセスを防止してセキュリティの向上を図ることができる。
【００１４】
また、本願請求項２記載のテレコントロール装置は、本願請求項１記載の構成に加えて、前記制御手段は、外線着信時に前記発信者情報照合手段にて前記発信者情報が前記所定の発信者情報に合致していると判定されると、前記外線着信に対する応答動作が所定時間内にあるか否かを判定し、前記外線着信に対する応答動作が所定時間内にないと判定されると、この外線着信に応答して、前記電子機器を遠隔制御するテレコントロール動作を開始するようにした。
【００１５】
従って、本願請求項２記載のテレコントロール装置によれば、本願請求項１記載の効果に加えて、前記外線着信時に前記発信者情報が前記所定の発信者情報に合致していると判定されると、前記外線着信に対する応答動作が所定時間内にないと判定されると、この外線着信に応答して、前記電子機器を遠隔制御するテレコントロール動作を開始するようにしたので、正当ユーザは、例えばテレコンモードの設定を忘れたとしても、外出先から電子機器を遠隔制御することができる。
【００１６】
本願請求項３記載のテレコントロール装置は、本願請求項１記載の構成に加えて、前記制御手段は、前記発信者情報照合手段にて前記発信者情報が前記所定の発信者情報に合致していると判定されると、前記宅外電話機から前記電子機器への遠隔制御を許可するようにした。
【００１７】
従って、本願請求項３記載のテレコントロール装置によれば、本願請求項１記載の効果に加えて、前記発信者情報照合手段にて前記発信者情報が前記所定の発信者情報に合致していると判定されると、前記宅外電話機から前記電子機器への遠隔制御を許可するようにしたので、発信者番号等の発信者情報で正当ユーザを特定することができるため、第三者による不正アクセスを防止してセキュリティの向上を図ることができる。
【００１８】
本願請求項４記載のテレコントロール装置は、本願請求項１記載の構成に加えて、所定の暗証番号を予め記憶した暗証番号記憶手段と、前記電話回線を通じて前記宅外電話機からの暗証入力番号を受信する暗証入力番号受信手段と、前記暗証入力番号受信手段にて前記暗証入力番号を受信すると、この暗証入力番号が前記暗証番号記憶手段に記憶中の暗証番号に合致しているか否かを判定する暗証番号照合手段とを有し、前記制御手段は、前記発信者情報照合手段にて前記発信者情報が前記所定の発信者情報に合致していると判定されると、前記暗証番号照合手段にて前記暗証入力番号が前記所定の暗証番号に合致しているか否かを判定し、前記暗証入力番号が前記所定の暗証番号に合致していると判定されると、前記宅外電話機から前記電子機器への遠隔制御を許可するようにした。
【００１９】
従って、本願請求項４記載のテレコントロール装置によれば、本願請求項１記載の効果に加えて、前記発信者情報照合手段にて前記発信者情報が前記所定の発信者情報に合致していると判定されると、前記暗証番号照合手段にて前記暗証入力番号が前記所定の暗証番号に合致しているか否かを判定し、前記暗証入力番号が前記所定の暗証番号に合致していると判定されると、前記宅外電話機から前記電子機器への遠隔制御を許可するようにしたので、発信者情報及び暗証番号で正当ユーザを特定することができるため、第三者による不正アクセスを確実に防止してセキュリティの向上を図ることができる。
【００２０】
また、本願請求項５記載のテレコントロール装置は、本願請求項４記載の構成に加えて、前記暗証番号照合手段にて前記暗証入力番号が前記暗証番号記憶手段に記憶中の暗証番号に合致していないと判定されると、暗証番号エラー回数をカウントするエラー回数カウント手段と、このエラー回数カウント手段にて暗証番号エラー回数が所定回数に到達したか否かを判定するエラー回数判定手段と、このエラー回数判定手段にて前記暗証番号エラー回数が所定回数に到達したと判定されると、前記暗証番号記憶手段に記憶中の暗証番号を消去する暗証番号消去手段とを有するようにした。
【００２１】
従って、本願請求項５記載のテレコントロール装置によれば、本願請求項４記載の効果に加えて、暗証番号エラー回数が所定回数に到達したと判定されると、前記暗証番号記憶手段に記憶中の暗証番号を消去するようにしたので、暗証番号記憶手段に記憶中の暗証番号がないことから、暗証番号照合動作を実行しないことになるため、その結果、宅外電話機から電子機器への遠隔制御が禁止されることで、第三者の不正アクセスを確実に防止することでセキュリティの大幅向上を図ることができる。
【００２２】
本願請求項６記載のテレコントロールシステムは、電話回線に通信接続する電話親機と、電話親機と通信接続すると共に、前記電話回線を通じて前記電話親機経由で、宅外電話機から電子機器への遠隔制御を可能にするテレコントロール装置とを有するテレコントロールシステムであって、前記電話親機は、所定の発信者情報を予め記憶した発信者情報記憶手段と、前記電話回線を通じて前記宅外電話機から外線着信を検出する着信検出手段と、この着信検出手段にて前記外線着信を検出すると、前記電話回線を通じて前記宅外電話機の発信者情報を検出する発信者情報検出手段と、この発信者情報検出手段にて前記発信者情報を検出すると、この検出した発信者情報が前記発信者情報記憶手段に記憶中の所定の発信者情報に合致しているか否かを判定する発信者情報照合手段と、この発信者情報照合手段にて前記発信者情報が前記所定の発信者情報に合致していないと判定されると、遠隔制御禁止コマンドを前記テレコントロール装置に伝送する電話親機側伝送手段とを有し、前記テレコントロール装置は、前記電話親機から前記遠隔制御禁止コマンドを受信すると、前記宅外電話機から前記電子機器への遠隔制御を禁止する制御手段を有するようにした。
【００２３】
従って、本願請求項６記載のテレコントロールシステムによれば、電話親機側にて外線着信に関わる宅外電話機の発信者情報を検出すると、この発信者情報が記憶中の所定の発信者情報に合致しているか否かを判定し、前記発信者情報が記憶中の所定の発信者情報に合致していないと判定されると、遠隔制御禁止コマンドを前記テレコントロール装置に通知すると共に、前記テレコントロール装置側では、前記遠隔制御禁止コマンドを受信すると、前記宅外電話機から前記電子機器への遠隔制御を禁止するようにしたので、発信者番号等の発信者情報で正当ユーザを特定することができるため、第三者による不正アクセスを防止してセキュリティの向上を図ることができる。
【００２４】
本願請求項７記載のテレコントロールシステムは、電話回線に通信接続する電話親機と、電話親機と通信接続すると共に、前記電話回線を通じて前記電話親機経由で、宅外電話機から電子機器への遠隔制御を可能にするテレコントロール装置とを有するテレコントロールシステムであって、前記電話親機は、前記電話回線を通じて前記宅外電話機から外線着信を検出する着信検出手段と、この着信検出手段にて前記外線着信を検出すると、前記電話回線を通じて前記宅外電話機の発信者情報を検出する発信者情報検出手段と、この発信者情報検出手段にて検出した発信者情報を前記テレコントロール装置に伝送する電話親機側伝送手段とを有し、前記テレコントロール装置は、所定の発信者情報を予め記憶した発信者情報記憶手段と、前記電話親機側伝送手段にて前記発信者情報を受信すると、この受信した発信者情報が前記発信者情報記憶手段に記憶中の所定の発信者情報に合致するか否かを判定する発信者情報照合手段と、この発信者情報照合手段にて前記発信者情報が前記所定の発信者情報に合致していないと判定されると、前記宅外電話機から前記電子機器への遠隔制御を禁止する制御手段とを有するようにした。
【００２５】
従って、本願請求項７記載のテレコントロールシステムによれば、テレコントロール装置側にて、電話親機側から外線着信に関わる宅外電話機の発信者情報を受信すると、この発信者情報が記憶中の所定の発信者情報に合致しているか否かを判定し、前記発信者情報が記憶中の所定の発信者情報に合致していないと判定されると、前記宅外電話機から前記電子機器への遠隔制御を禁止するようにしたので、電話親機側に特別な認証機能を備えるのではなく、テレコントロール装置側で発信者情報を認証する機能を備え、発信者番号等の発信者情報で正当ユーザを特定することができるため、第三者による不正アクセスを防止してセキュリティの向上を図ることができる。
【００２６】
本願請求項８記載のテレコントロール制御方法は、電話回線を通じて、宅外電話機から電子機器への遠隔制御を可能にするテレコントロール制御方法であって、所定の発信者情報を予め記憶するステップと、前記電話回線を通じて前記宅外電話機からの外線着信を検出するステップと、前記外線着信を検出すると、前記電話回線を通じて前記宅外電話機の発信者情報を検出するステップと、前記発信者情報を検出すると、この検出した発信者情報が前記所定の発信者情報に合致しているか否かを判定するステップと、前記発信者情報が前記所定の発信者情報に合致していないと判定されると、前記宅外電話機から前記電子機器への遠隔制御を禁止するステップとを有するようにした。
【００２７】
従って、本願請求項８記載のテレコントロール制御方法によれば、電話回線を通じて外線着信に関わる宅外電話機の発信者情報を検出すると、この検出した発信者情報が記憶中の所定の発信者情報に合致しているか否かを判定し、前記発信者情報が前記所定の発信者情報に合致していないと判定されると、前記宅外電話機から前記電子機器への遠隔制御を禁止するようにしたので、発信者番号等の発信者情報で正当ユーザを特定することができるため、第三者による不正アクセスを防止してセキュリティの向上を図ることができる。
【００２８】
また、本願請求項９記載のテレコントロール制御方法は、本願請求項８記載の方法に加えて、所定の暗証番号を予め記憶するステップと、前記電話回線を通じて前記宅外電話機からの暗証入力番号を受信するステップと、前記暗証入力番号を受信すると、この暗証入力番号が前記所定の暗証番号に合致しているか否かを判定するステップと、前記暗証入力番号が前記所定の暗証番号に合致していないと判定されると、暗証番号エラー回数をカウントするステップと、前記暗証番号エラー回数が所定回数に到達したか否かを判定するステップと、前記暗証番号エラー回数が所定回数に到達したと判定されると、前記記憶中の所定の暗証番号を消去するステップとを有するようにした。
【００２９】
従って、本願請求項９記載のテレコントロール制御方法によれば、本願請求項８記載の効果に加えて、前記電話回線を通じて前記宅外電話機からの暗証入力番号を受信すると、この暗証入力番号が所定の暗証番号に合致しているか否かを判定し、前記暗証入力番号が前記所定の暗証番号に合致していないと判定されると、暗証番号エラー回数をカウントし、この暗号番号エラー回数が所定回数に到達したと判定されると、記憶中の所定の暗証番号を消去するようにしたので、記憶中の暗証番号がないことから、暗証番号照合動作を実行しないことになるため、その結果、宅外電話機から電子機器への遠隔制御が禁止されることで、第三者の不正アクセスを確実に防止することでセキュリティの大幅向上を図ることができる。
【００３０】
以下、図面に基づいて本発明の実施の形態を示すテレコントロールシステムについて説明する。
【００３１】
（実施の形態１）
図１は第１の実施の形態を示すテレコントロールシステム内部の概略構成を示すブロック図である。
【００３２】
図１に示すテレコントロールシステム（以下、単にテレコンシステムと称する）１は、電話回線２と通信接続する電話親機３と、この電話親機３を無線接続すると共に、玄関口の玄関子機４を収容接続する宅内のドアホン親機５とを有し、ドアホン親機５は、電話回線２及び電話親機３経由での宅外電話機６からの遠隔操作に応じて、例えば有線通信や赤外線通信を利用して住宅内の照明器具やエアコン機器等の家電機器７を制御するテレコン機能を備えている。尚、ドアホン親機５は、赤外線通信を利用して制御する場合、赤外線リモコン８と無線接続し、この赤外線リモコン８を通じて家電機器７を制御するものである。
【００３３】
図２はドアホン親機５内部の概略構成を示すブロック図である。
【００３４】
図２に示すドアホン親機５は、ドアホン側アンテナ１１を通じて電話親機３との無線通信インタフェースを司るドアホン側無線通信インタフェース１２と、玄関子機４との通信インタフェースを司る親機通信インタフェース１３と、この親機通信インタフェース１３を通じて玄関子機４からの呼出着信に応答する応答ボタン１４と、宅内ユーザの通話に使用する親機側スピーカ１５及び親機側マイク１６と、例えば玄関子機４側のカメラ部にて撮像した映像信号をモニタ表示する表示部１７と、家電機器７の機器状態を検出する機器状態検出部１８と、家電機器７を制御する機器制御部１９と、様々な情報を記憶するドアホン側メモリ２０と、このドアホン親機５全体を制御する親機側制御部２１とを有している。
【００３５】
図３は電話親機３内部の概略構成を示すブロック図である。
【００３６】
図３に示す電話親機３は、電話回線２と通信接続する電話回線インタフェース３１と、無線アンテナ３２を通じてドアホン親機５との無線通信インタフェースを司る無線通信インタフェース３３と、電話親機ユーザの通話に使用するマイク３４及びスピーカ３５と、様々なタイマ計時動作を司る電話機側タイマ３６と、様々な情報を表示する表示部３７と、例えばダイヤル番号等の様々な情報を入力するボタン３８と、様々な情報を記憶する電話機側メモリ３９と、この電話親機３全体を制御する電話親機側制御部４０とを有している。
【００３７】
電話回線インタフェース３１は、電話回線２を通じて外線着信を検出する着信検出部３１Ａと、電話回線２を通じてＰＢ信号を監視するＰＢ信号検出部３１Ｂと、電話回線２を通じて外線着信の発信者番号を検出する発信者番号検出部３１Ｃと、電話回線２を通じて相手先への呼出動作に対する相手先の応答動作を監視制御する応答制御部３１Ｄとを有している。
【００３８】
電話機側メモリ３９は、テレコン認証用発信者番号を予め記憶したテレコン認証用発信者番号メモリ５１と、テレコン認証用暗証番号を予め記憶したテレコン認証用暗証番号メモリ５２と、暗証番号のエラー回数を記憶する暗証番号エラー回数メモリ５３と、ＰＢ信号検出部３１Ｂにて検出したＰＢ信号を一時記憶するＰＢ信号入力バッファ５４と、テレコン認証に必要な設定内容を記憶した認証設定メモリ５５とを有している。
【００３９】
認証設定メモリ５５は、テレコン認証用発信者番号を使用してユーザ確認を実行するか否かを設定する発信者番号確認設定と、暗証番号エラー回数が規定値を超えた場合に、テレコン認証用暗証番号メモリ５２に記憶中のテレコン認証用暗証番号を初期化するか否かを設定する暗証番号初期化設定等の各種設定内容を管理するものである。
【００４０】
尚、請求項記載のテレコントロール装置は電話親機３及びドアホン親機５、電子機器は家電機器７、発信者情報記憶手段はテレコン認証用発信者番号メモリ５１、着信検出手段は着信検出部３１Ａ、発信者情報検出手段は発信者番号検出部３１Ｃ、発信者情報照合手段は電話親機側制御部４０、制御手段は電話親機側制御部４０及び親機側制御部２１、暗証番号記憶手段はテレコン認証用暗証番号メモリ５２、暗証入力番号受信手段はＰＢ信号検出部３１Ｂ、暗証番号照合手段は電話親機側制御部４０、エラー回数カウント手段は暗証番号エラー回数メモリ５３、エラー回数判定手段及び暗証番号消去手段は電話親機側制御部４０に相当するものである。
【００４１】
次に第１の実施の形態を示すテレコンシステム１の動作について説明する。図４は第１の実施の形態に関わる電話親機側テレコン認証処理に関わる電話親機３内部の電話親機側制御部４０の処理動作を示すフロー図である。
【００４２】
図４に示す電話親機側テレコン認証処理とは、電話回線２を通じて外線着信を検出すると、外線着信に関わる発信者番号及び暗証番号を使用して、同外線着信のユーザが家電機器７の遠隔制御可能な正当ユーザであるか否かを認証する処理である。
【００４３】
図４において電話親機側制御部４０は、着信検出部３１Ａを通じて電話回線２から外線着信を検出したか否かを判定する(ステップＳ１１)。
【００４４】
電話親機側制御部４０は、外線着信を検出したのであれば、発信者番号検出部３１Ｃを通じて外線着信に関わる宅外電話機６の発信者番号を検出したか否かを判定する(ステップＳ１２)。
【００４５】
電話親機側制御部４０は、外線着信に関わる発信者番号を検出したのであれば、この発信者番号を一時記憶する(ステップＳ１３)。また、電話親機側制御部４０は、外線着信に関わる発信者番号を検出したのでなければ、無効値として一時記憶する(ステップＳ１４)。
【００４６】
電話親機側制御部４０は、現在の設定が外出モード(テレコンモード)中であるか否かを判定する(ステップＳ１５)。尚、外出モードは、電話親機５のユーザ操作で設定するものである。
【００４７】
電話親機側制御部４０は、現在の設定が外出モード中であると判定されると、この外線着信に対する自動着信応答、すなわち留守着信応答動作を実行し(ステップＳ１６)、暗証番号エラー回数メモリ５３及びＰＢ信号入力バッファ５４の記憶内容をクリアする(ステップＳ１７)。
【００４８】
電話親機側制御部４０は、認証設定メモリ５５に記憶中の発信者番号確認設定に基づき、発信者番号確認設定ありか否かを判定する(ステップＳ１８)。
【００４９】
電話親機側制御部４０は、発信者番号確認設定ありであると判定されると、ステップＳ１２にて検出した発信者番号がテレコン認証用発信者番号に合致するか否かを判定する(ステップＳ１９)。
【００５０】
電話親機側制御部４０は、発信者番号がテレコン認証用発信者番号に合致すると判定されると、テレコン認証用暗証番号メモリ５２に記憶中のテレコン認証用暗証番号があるか否かを判定する(ステップＳ２０)。
【００５１】
電話親機側制御部４０は、テレコン認証用暗証番号があると判定されると、図５に示すＭ１に移行する。
【００５２】
また、電話親機側制御部４０は、ステップＳ１５にて現在設定が外出モード中でないと判定されると、ステップＳ１２にて検出した発信者番号がテレコン認証用発信者番号に合致するか否かを判定する(ステップＳ２１)。
【００５３】
電話親機側制御部４０は、発信者番号がテレコン認証用発信者番号に合致すると判定されると、外線着信検出から所定時間を経過したか否かを判定する(ステップＳ２２)。電話親機側制御部４０は、外線着信検出から所定時間を経過したと判定されると、まだ外線着信中であるか否かを判定する(ステップＳ２３)。電話親機側制御部４０は、まだ外線着信中であると判定されると、留守着信応答動作を実行すべく、ステップＳ１６に移行する。
【００５４】
また、電話親機側制御部４０は、ステップＳ１８にて発信者番号確認設定なしと判定されると、テレコン認証用発信者番号の照合動作を実行することなく、ステップＳ２０に移行する。
【００５５】
また、電話親機側制御部４０は、ステップＳ１９にて発信者番号がテレコン認証用発信者番号に合致しないと判定された場合、又はステップＳ２０にてテレコン認証用暗証番号メモリにテレコン認証用暗証番号がないと判定された場合、外線着信の電話を強制的に切断すべく、図５に示すＭ２に移行する。
【００５６】
また、電話親機側制御部４０は、ステップＳ１１にて外線着信を検出しなかった場合、又はステップＳ２１にて発信者番号がテレコン認証用発信者番号に合致しないと判定された場合、さらにステップＳ２３にて電話機の応答操作等で外線着信中でなかった場合、この処理動作を終了する。
【００５７】
図５に示すＭ１にて電話親機側制御部４０は、電話受話器のオフフック操作を検出したか否かを判定する(ステップＳ３１)。
【００５８】
電話親機側制御部４０は、電話受話器のオフフック操作を検出したのでなければ、ＰＢ信号検出部３１Ｂを通じて電話回線２を通じてＰＢ信号の入力を監視し(ステップＳ３２)、ＰＢ信号を検出したか否かを判定する(ステップＳ３３)。
【００５９】
電話親機側制御部４０は、ＰＢ信号を検出したのであれば、このＰＢ信号をＰＢ信号入力バッファ５４に順次書き込み(ステップＳ３４)、ＰＢ信号入力バッファ５４に記憶中のＰＢ信号が規定桁数に到達したか否かを判定する(ステップＳ３５)。尚、規定桁数は、例えばテレコン認証用暗証番号が４桁の場合、４桁に相当するものである。
【００６０】
電話親機側制御部４０は、ＰＢ信号が規定桁数に到達したのであれば、同ＰＢ信号を暗証入力番号とし、この暗証入力番号がテレコン認証用暗証番号に合致したか否かを判定する(ステップＳ３６)。電話親機側制御部４０は、暗証入力番号がテレコン認証用暗証番号に合致したのであれば、ドアホン親機５に対してテレコン制御の動作開始を伝えるべく、テレコン制御許可を通知する(ステップＳ３７)。尚、ドアホン親機５は、電話親機３からのテレコン制御許可を検出すると、電子機器７に対するテレコン制御を受け付けるものである。
【００６１】
電話親機側制御部４０は、ステップＳ３６にて暗証入力番号はテレコン認証用暗証番号に合致したのでなければ、暗証番号エラー回数を＋１インクリメントして同暗証番号エラー回数を暗証番号エラー回数メモリ５３に記憶更新する(ステップＳ３８)。
【００６２】
電話親機側制御部４０は、暗証番号エラー回数メモリ５３に記憶中の暗証番号エラー回数が規定値以下であるか否かを判定する(ステップＳ３９)。尚、規定値は、暗証番号のエラー許容回数、例えば３回に相当するものである。
【００６３】
電話親機側制御部４０は、暗証番号エラー回数が規定値以下であると判定されると、ＰＢ信号入力バッファ５４に書き込んだＰＢ信号をクリアし(ステップＳ４０)、再度、ＰＢ信号の入力を監視すべく、ステップＳ３１に移行する。
【００６４】
また、電話親機側制御部４０は、ステップＳ３９にて暗証番号エラー回数メモリ５３に記憶中の暗証番号エラー回数が規定値以下でないと判定されると、暗証番号エラー回数が規定値を超えたものと判断し、認証設定メモリ５５内の暗証番号初期化設定があるか否かを判定する(ステップＳ４１)。
【００６５】
電話親機側制御部４０は、ステップＳ４１にて暗証番号初期化設定があると判定されると、テレコン認証用暗証番号メモリ５２に記憶中のテレコン認証用暗証番号を初期化し(ステップＳ４２)、外線着信に関わる電話を強制的に切断して(ステップＳ４３)、この処理動作を終了する。尚、ステップＳ４３にて外線着信に関わる電話を強制的に切断するようにしたが、例えばテレコン動作に移行することなく、通常の電話着信動作に移行するようにしても良く、設定変更可能である。
【００６６】
また、電話親機側制御部４０は、ステップＳ３１にて電話受話器のオフフック操作を検出したのであれば、通常の電話応答処理に移行し(ステップＳ４４)、図中のＭ３に移行して、この処理動作を終了する。
【００６７】
また、電話親機側制御部４０は、ステップＳ３３にてＰＢ信号を検出したのでなければ、ＰＢ信号入力待ち時間がタイムアウトか否かを判定する(ステップＳ４５)。電話親機側制御部４０は、ＰＢ信号入力待ち時間がタイムアウトしたのであれば、外線着信に関わる電話を切断して(ステップＳ４６)、この処理動作を終了する。
【００６８】
また、電話親機側制御部４０は、ステップＳ４５にてＰＢ信号入力待ち時間がタイムアウトしたのでなければ、ステップＳ３１に移行する。
【００６９】
図４及び図５に示す電話親機側テレコン認証処理によれば、電話回線２を通じて宅外電話機６からの外線着信を検出すると、この宅外電話機６の発信者番号を検出し、この発信者番号がテレコン認証用発信者番号に合致するか否かを判定し、この発信者番号がテレコン認証用発信者番号に合致すると判定されると、同宅外電話機６からのＰＢ信号を暗証入力番号として検出し、暗証入力番号がテレコン認証用暗証番号に合致するか否かを判定し、暗証入力番号がテレコン認証用暗証番号に合致すると判定されると、正当ユーザであると判断し、テレコン制御許可をドアホン親機５に通知するようにしたので、電話親機３は、発信者番号及び暗証番号を使用して、テレコン制御可能な正当ユーザであるか否かを認証することができる。
【００７０】
第１の実施の形態によれば、電話回線２を通じて宅外電話機６からの外線着信を検出すると、この宅外電話機６の発信者番号を検出し、この発信者番号がテレコン認証用発信者番号に合致するか否かを判定し、この発信者番号がテレコン認証用発信者番号に合致すると判定されると、同宅外電話機６からのＰＢ信号を暗証入力番号として検出し、暗証入力番号がテレコン認証用暗証番号に合致するか否かを判定し、暗証入力番号がテレコン認証用暗証番号に合致すると判定されると、正当ユーザであると判断し、テレコン制御許可をドアホン親機５に通知するようにしたので、電話親機３は、発信者番号及び暗証番号を使用して、テレコン制御可能な正当ユーザであるか否かを認証することができ、その結果、第三者による不正アクセスを防止してセキュリティの向上を図ることができる。
【００７１】
第１の実施の形態によれば、発信者番号がテレコン認証用発信者番号に合致しないと判定されると、又は暗証入力番号がテレコン認証用暗証番号に合致しないと判定されると、不当アクセスであると判断し、宅外電話機６から家電機器７への遠隔制御を禁止するようにしたので、第三者による不正アクセスを確実に防止することができる。
【００７２】
第１の実施の形態によれば、外出モード以外の通常着信モード中に発信者番号がテレコン認証用発信者番号に合致していると判定されると、外線着信に対する応答動作が所定時間内にないと判定されると、外線着信に応答して、家電機器７を遠隔制御するテレコン動作を開始するようにしたので、正当ユーザは、例えば外出モードの設定を忘れたとしても、外出先から家電機器７を遠隔制御することができる。
【００７３】
第１の実施の形態によれば、暗証番号エラー回数が規定値以下でないと判定されると、テレコン認証用暗証番号メモリ５２に記憶中のテレコン認証用暗証番号を消去するようにしたので、テレコン認証用暗証番号がないため、暗証番号照合動作が実行されないことで、その結果、宅外電話機６から家電機器７への遠隔制御が禁止されることで、第三者の不正アクセスを確実に防止することでセキュリティの大幅向上を図ることができる。
【００７４】
尚、上記第１の実施の形態においては、発信者番号及び暗証番号のテレコン認証処理を電話親機３側で実行するようにしたが、発信者番号及び暗証番号のテレコン認証処理をドアホン親機５側で実行するようにしても良く、この場合の実施の形態を第２の実施の形態として説明する。
【００７５】
（実施の形態２）
図６は第２の実施の形態に関わるドアホン親機５内部の概略構成を示すブロック図である。尚、第１の実施の形態を示すテレコンシステム１と同一の構成については同一符号を付すことで、その重複する構成及び動作の説明については省略する。
【００７６】
第２の実施の形態を示すテレコンシステム１と第１の実施の形態を示すテレコンシステム１とが異なるところは、テレコン認証用発信者番号メモリ５１、テレコン認証用暗証番号メモリ５２、暗証番号エラー回数メモリ５３、ＰＢ信号入力バッファ５４及び認証設定メモリ５５を電話親機３側の電話機側メモリ３９に保持させるのではなく、ドアホン親機５側のドアホン側メモリ２０に保持させ、電話親機３は、電話回線２経由の発信者番号及びＰＢ信号を検出すると、これら発信者番号及びＰＢ信号をドアホン親機５に通知すると共に、ドアホン親機５は、発信者番号及びＰＢ信号(暗証入力番号)を受信すると、これら発信者番号及び暗証入力番号のテレコン認証動作を実行するようにした点にある。
【００７７】
尚、請求項記載の発信者情報記憶手段はテレコン認証用発信者番号メモリ５１、着信検出手段は着信検出部３１Ａ、発信者情報検出手段は発信者番号検出部３１Ｃ、発信者情報照合手段は親機側制御部２１、制御手段は親機側制御部２１、暗証番号記憶手段はテレコン認証用暗証番号メモリ５２、暗証入力番号受信手段はＰＢ信号検出部３１Ｂ、暗証番号照合手段は親機側制御部２１、エラー回数カウント手段は暗証番号エラー回数メモリ５３、エラー回数判定手段及び暗証番号消去手段は親機側制御部２１に相当するものである。
【００７８】
次に第２の実施の形態を示すテレコンシステム１の動作について説明する。図７は電話親機側テレコン認証通知処理に関わる電話親機３内部の電話親機側制御部４０の処理動作を示すフロー図である。
【００７９】
図７に示す電話親機側テレコン認証通知処理とは、電話回線２を通じて宅外電話機６からの外線着信を検出すると、テレコン認証に必要な発信者番号及び暗証入力番号をドアホン親機５側に通知する処理である。
【００８０】
図７において電話親機側制御部４０は、着信検出部３１Ａを通じて電話回線２から外線着信を検出したか否かを判定する(ステップＳ５１)。
【００８１】
電話親機側制御部４０は、外線着信を検出したのであれば、無線通信インタフェース３３を通じて外線着信開始をドアホン親機５に通知する(ステップＳ５２)。尚、ドアホン親機５は、外線着信開始を受信すると、電話親機３側の外線着信を認識することになる。
【００８２】
電話親機側制御部４０は、外線着信開始を通知すると、発信者番号検出部３１Ｃを通じて外線着信に関わる宅外電話機６の発信者番号を検出したか否かを判定する(ステップＳ５３)。
【００８３】
電話親機側制御部４０は、外線着信に関わる発信者番号を検出したのであれば、無線通信インタフェース３３を通じて同発信者番号をドアホン親機５に通知する(ステップＳ５４)。また、電話親機側制御部４０は、ステップＳ５３にて外線着信に関わる発信者番号を検出したのでなければ、無線通信インタフェース３３を通じて無効値をドアホン親機５に通知する(ステップＳ５５)。尚、ドアホン親機５は、発信者番号又は無効値を受信すると、外線着信に関わる宅外電話機６の発信者番号又は無効値を認識することになる。
【００８４】
さらに、電話親機側制御部４０は、外線着信に対して留守着信応答動作を実行すると(ステップＳ５６)、無線通信インタフェース３３を通じてドアホン親機５からテレコン中止通知を受信したか否かを判定する(ステップＳ５７)。尚、テレコン中止通知とは、ドアホン親機５側から電話親機３側にテレコン認証の中止を通知するものである。
【００８５】
電話親機側制御部４０は、ドアホン親機５からテレコン中止通知を受信したのでなければ、電話受話器のオフフック操作を検出したか否かを判定する(ステップＳ５８)。
【００８６】
電話親機側制御部４０は、電話受話器のオフフック操作を検出したのでなければ、ＰＢ信号検出部３１Ｂを通じて電話回線２からのＰＢ信号入力を監視し(ステップＳ５９)、ＰＢ信号を検出したか否かを判定する(ステップＳ６０)。
【００８７】
電話親機側制御部４０は、ＰＢ信号を検出したのであれば、無線通信インタフェース３３を通じて同ＰＢ信号をドアホン親機５に通知し(ステップＳ６１)、ドアホン親機５からテレコン中止通知を受信したか否かを判定すべく、ステップＳ５７に移行する。尚、ドアホン親機５は、ステップＳ６１にて電話親機３からＰＢ信号を受信すると、所定桁数のＰＢ信号で宅外電話機６からの暗証入力番号を認識することになる。
【００８８】
また、電話親機側制御部４０は、ステップＳ５８にて電話受話器のオフフック操作を検出したのであれば、無線通信インタフェース３３を通じてテレコン認証中止をドアホン親機５に通知し(ステップＳ６２)、通常の電話応答処理に移行し(ステップＳ６３)、図中のＭ４に移行して、この処理動作を終了する。
【００８９】
また、電話親機側制御部４０は、ステップＳ６０にてＰＢ信号を検出したのでなければ、電話機側タイマ３６を通じてＰＢ信号入力待ち時間がタイムアウトか否かを判定する(ステップＳ６４)。
【００９０】
電話親機側制御部４０は、ＰＢ信号入力待ち時間がタイムアウトしたのであれば、無線通信インタフェース３３を通じてテレコン認証中止をドアホン親機５に通知して(ステップＳ６５)、電話回線２を切断し(ステップＳ６６)、この処理動作を終了する。
【００９１】
また、電話親機側制御部４０は、ステップＳ６４にてＰＢ信号入力待ち時間がタイムアウトしたのでなければ、ステップＳ５７に移行する。
【００９２】
また、電話親機側制御部４０は、ステップＳ５７にてドアホン親機５からテレコン中止通知を受信したのであれば、外線着信に関わる電話を強制的に切断すべく、ステップＳ６６に移行する。
【００９３】
図７に示す電話親機側テレコン認証通知処理によれば、電話回線２を通じて外線着信を検出すると、テレコン認証に必要な宅外電話機６の発信者番号及び暗証入力番号をドアホン親機５側に通知するようにしたので、電話親機３側のテレコン認証に要する制御負担を大幅に軽減することができる。
【００９４】
図８はドアホン親機側テレコン認証処理に関わるドアホン親機５内部の親機側制御部２１の処理動作を示すフロー図である。
【００９５】
図８に示すドアホン親機側テレコン認証処理は、電話親機３側から受信した外線着信の発信者番号及びＰＢ信号(暗証入力番号)を使用して、同外線着信の宅外電話機６が家電機器７の遠隔制御可能な正当ユーザであるか否かを認証する処理である。
【００９６】
図８においてドアホン親機５の親機側制御部２１は、ドアホン側無線通信インタフェース１２を通じて、電話親機３から外線着信開始を検出したか否かを判定する(ステップＳ７１)。
【００９７】
親機側制御部２１は、電話親機３から外線着信開始を検出したのであれば、テレコン認証用暗証番号メモリ５２に記憶中のテレコン認証用暗証番号があるか否かを判定する(ステップＳ７２)。
【００９８】
親機側制御部２１は、テレコン認証用暗証番号メモリ５２にテレコン認証用暗証番号があるのであれば、ドアホン側無線通信インタフェース１２を通じて、電話親機３から外線着信に関わる発信者番号を受信したか否かを判定する(ステップＳ７３)。
【００９９】
親機側制御部２１は、外線着信に関わる発信者番号を受信したのであれば、同発信者番号を一時記憶する(ステップＳ７４)。また、親機側制御部２１は、ステップＳ７３にて外線着信に関わる発信者番号を受信したのでなければ、無効値を一時記憶する(ステップＳ７５)。
【０１００】
親機側制御部２１は、暗証番号エラー回数メモリ５３及びＰＢ信号入力バッファ５４の記憶内容をクリアする(ステップＳ７６)。
【０１０１】
親機側制御部２１は、認証設定メモリ５５に記憶中の発信者番号確認設定に基づき、発信者番号確認設定ありか否かを判定する(ステップＳ７７)。
【０１０２】
親機側制御部２１は、発信者番号確認設定ありであると判定されると、ステップＳ７３にて受信した発信者番号がテレコン認証用発信者番号に合致するか否かを判定する(ステップＳ７８)。
【０１０３】
親機側制御部２１は、発信者番号がテレコン認証用発信者番号に合致すると判定されると、図９に示すＭ５に移行する。
【０１０４】
また、親機側制御部２１は、ステップＳ７１にて電話親機３から外線着信開始を受信したのでなければ、この処理動作を終了する。
【０１０５】
また、親機側制御部２１は、ステップＳ７２にてテレコン認証用暗証番号がテレコン認証用暗証番号メモリ５２内になければ、又はステップＳ７８にて発信者番号がテレコン認証用発信者番号と合致しなければ、ドアホン側無線通信インタフェース１２を通じて電話親機３にテレコン中止を通知して(ステップＳ７９)、この処理動作を終了する。尚、電話機親機３は、テレコン中止を受信すると、ドアホン親機５側のテレコン中止を認識することになる。
【０１０６】
また、図９に示すＭ５において親機側制御部２１は、ドアホン側無線通信インタフェース１２を通じて電話親機３からテレコン認証中止を受信したか否かを判定する(ステップＳ８１)。
【０１０７】
親機側制御部２１は、電話親機３からテレコン認証中止を受信したのであれば、この処理動作を終了すべく、図中のＭ６に移行する。
【０１０８】
また、親機側制御部２１は、ステップＳ８１にて電話親機３からテレコン認証中止を受信したのでなければ、ドアホン側無線通信インタフェース１２を通じて電話親機３からのＰＢ信号の受信を監視し(ステップＳ８２)、ＰＢ信号を受信したか否かを判定する(ステップＳ８３)。
【０１０９】
親機側制御部２１は、ＰＢ信号を受信したのであれば、このＰＢ信号をＰＢ信号入力バッファ５４に順次書き込み(ステップＳ８４)、ＰＢ信号入力バッファ５４に記憶中のＰＢ信号が規定桁数に到達したか否かを判定する(ステップＳ８５)。尚、規定桁数は、例えばテレコン認証用暗証番号が４桁の場合、４桁に相当するものである。
【０１１０】
親機側制御部２１は、ＰＢ信号が規定桁数に到達したのであれば、同ＰＢ信号を暗証入力番号とし、この暗証入力番号がテレコン認証用暗証番号に合致したか否かを判定する(ステップＳ８６)。親機側制御部２１は、暗証入力番号がテレコン認証用暗証番号に合致したのであれば、テレコン制御の動作を開始し(ステップＳ８７)、この処理動作を終了する。
【０１１１】
親機側制御部２１は、ステップＳ８６にて暗証入力番号はテレコン認証用暗証番号に合致したのでなければ、暗証番号エラー回数を＋１インクリメントして同暗証番号エラー回数を暗証番号エラー回数メモリ５３に記憶更新する(ステップＳ８８)。
【０１１２】
親機側制御部２１は、暗証番号エラー回数メモリ５３に記憶中の暗証番号エラー回数が規定値以下であるか否かを判定する(ステップＳ８９)。尚、規定値は、暗証番号のエラー許容回数、例えば３回に相当するものである。
【０１１３】
親機側制御部２１は、暗証番号エラー回数が規定値以下であると判定されると、ＰＢ信号入力バッファ５４に書き込んだＰＢ信号をクリアし(ステップＳ９０)、再度、ＰＢ信号の入力を監視すべく、ステップＳ８１に移行する。
【０１１４】
また、親機側制御部２１は、ステップＳ８９にて暗証番号エラー回数メモリ５３に記憶中の暗証番号エラー回数が規定値以下でないと判定されると、暗証番号エラー回数が規定値を超えたものと判断し、認証設定メモリ５５内の暗証番号初期化設定があるか否かを判定する(ステップＳ９１)。
【０１１５】
親機側制御部２１は、ステップＳ９１にて暗証番号初期化設定があると判定されると、テレコン認証用暗証番号メモリ５２に記憶中のテレコン認証用暗証番号を初期化し(ステップＳ９２)、ドアホン側無線通信インタフェース１２を通じて電話親機３にテレコン中止を通知して(ステップＳ９３)、この処理動作を終了する。
【０１１６】
また、親機側制御部２１は、ステップＳ８３にてＰＢ信号を電話親機３から受信したのでなければ、又はステップＳ８５にてＰＢ桁数が規定値に到達したのでなければ、電話親機３から新たなＰＢ信号を受信監視すべく、ステップＳ８１に移行する。
【０１１７】
図８及び図９に示すドアホン親機側テレコン認証処理によれば、電話親機３から外線着信に関わる発信者番号及びＰＢ信号(暗証入力番号)を受信すると、発信者番号がテレコン認証用発信者番号に合致するか否かを判定し、発信者番号がテレコン認証用発信者番号に合致すると判定されると、暗証入力番号がテレコン認証用暗証番号に合致するか否かを判定し、暗証入力番号がテレコン認証用暗証番号に合致すると判定されると、正当ユーザであると判断し、テレコン制御動作を許可するようにしたので、ドアホン親機５は、発信者番号及び暗証番号を使用して、テレコン制御可能な正当ユーザであるか否かを認証することができ、その結果、テレコン認証に要する電話親機３の制御負担を大幅に軽減することができる。
【０１１８】
第２の実施の形態によれば、電話親機３から外線着信に関わる宅外電話機６の発信者番号及びＰＢ信号(暗証入力番号)を受信すると、発信者番号がテレコン認証用発信者番号に合致するか否かを判定し、発信者番号がテレコン認証用発信者番号に合致すると判定されると、暗証入力番号がテレコン認証用暗証番号に合致するか否かを判定し、暗証入力番号がテレコン認証用暗証番号に合致すると判定されると、正当ユーザであると判断し、テレコン制御動作を許可するようにしたので、ドアホン親機５は、発信者番号及び暗証番号を使用して、テレコン制御可能な正当ユーザであるか否かを認証することができ、その結果、テレコン認証に要する電話親機３の制御負担を大幅に軽減することができる。
【０１１９】
第２の実施の形態によれば、発信者番号がテレコン認証用発信者番号に合致せず、又は暗証番号がテレコン認証用暗証番号に合致しないと判定されると、宅外電話機６から家電機器７への遠隔制御を禁止するようにしたので、電話親機３側に特別な認証機能を備えるのではなく、ドアホン親機５側で発信者番号及び暗証番号を認証する機能を備え、発信者番号及び暗証番号で正当ユーザを特定することができるため、第三者による不正アクセスを防止してセキュリティの向上を図ることができる。
【０１２０】
また、上記第１及び第２の実施の形態においては、電話親機３及びドアホン親機５で構成するテレコンシステム１について説明したが、図１０に示すように、電話親機３Ａに、家電機器７を制御するテレコン機能を持たせるようにしても良く、同様の効果が得られることは言うまでもない。
【０１２１】
また、上記第１及び第２の実施の形態においては、宅外電話機６の発信者番号に基づきテレコン認証を実行するようにしたが、例えば宅外電話機６がＩＰ電話機の場合、宅外電話機６のＩＰアドレスに基づきテレコン認証を実行するようにしても、同様の効果が得られることは言うまでもない。
【産業上の利用可能性】
【０１２２】
本発明のテレコントロール装置によれば、電話回線を通じて外線着信に関わる宅外電話機の発信者情報を検出すると、この検出した発信者情報が記憶中の所定の発信者情報に合致しているか否かを判定し、前記発信者情報が前記所定の発信者情報に合致していないと判定されると、前記宅外電話機から前記電子機器への遠隔制御を禁止するようにしたので、発信者番号等の発信者情報で正当ユーザを特定し、第三者による不正アクセスを防止してセキュリティの向上を図ることができるため、例えば一般家庭等のテレコントロールシステムに有用である。
【図面の簡単な説明】
【０１２３】
【図１】本発明の第１の実施の形態を示すテレコンシステム内部の概略構成を示すブロック図
【図２】第１の実施の形態に関わるドアホン親機内部の概略構成を示すブロック図
【図３】第１の実施の形態に関わる電話親機内部の概略構成を示すブロック図
【図４】第１の実施の形態の電話親機側テレコン認証処理に関わる電話親機側制御部の処理動作を示すフロー図
【図５】第１の実施の形態の電話親機側テレコン認証処理に関わる電話親機側制御部の処理動作を示すフロー図
【図６】第２の実施の形態に関わるドアホン親機内部の概略構成を示すブロック図
【図７】第２の実施の形態の電話親機側テレコン認証通知処理に関わる電話親機側制御部の処理動作を示すフロー図
【図８】第２の実施の形態のドアホン親機側テレコン認証処理に関わる親機側制御部の処理動作を示すフロー図
【図９】第２の実施の形態のドアホン親機側テレコン認証処理に関わる親機側制御部の処理動作を示すフロー図
【図１０】他の実施の形態を示すテレコンシステム内部の概略構成を示すブロック図
【符号の説明】
【０１２４】
１  テレコントロールシステム
２  電話回線
３  電話親機(テレコントロール装置)
５  ドアホン親機(テレコントロール装置)
７  家電機器(電子機器)
２１  親機側制御部（制御手段、発信者情報照合手段、暗証番号照合手段、エラー回数判定手段、暗証番号消去手段）
３１Ａ  着信検出部（着信検出手段）
３１Ｂ  ＰＢ信号検出部(暗証入力番号受信手段)
３１Ｃ  発信者番号検出部(発信者情報検出手段)
４０  電話親機側制御部（制御手段、発信者情報照合手段、暗証番号照合手段、エラー回数判定手段、暗証番号消去手段）
５１  テレコン認証用発信者番号メモリ(発信者情報記憶手段)
５２  テレコン認証用暗証番号メモリ（暗証番号記憶手段）
５３  暗証番号エラー回数メモリ（エラー回数カウント手段）
【図１】
2007181013.tif 000003
【図２】
2007181013.tif 000004
【図３】
2007181013.tif 000005
【図４】
2007181013.tif 000006
【図５】
2007181013.tif 000007
【図６】
2007181013.tif 000008
【図７】
2007181013.tif 000009
【図８】
2007181013.tif 000010
【図９】
2007181013.tif 000011
【図１０】
2007181013.tif 000012